(57)【要約】      （修正有）【課題】雷サージが流れると自動的にサージを低減させることが可能な耐雷サージ手段を備えた耐雷サージ付きスイングタップを提供する。【解決手段】タップ本体１の一側面に設けた栓刃２ａを突出させた回動可能なスイングプラグ２と、タップ本体１の他側面の両側に設けたプラグ用差込口３ａ．３ａと、プラグ用差込口３ａ．３ａの間に設けたプラグ用差込口４ａを有する回動可能なスイングコンセント４と、スイングプラグ２の栓刃２ａとプラグ用差込口３ａの近傍に内装された刃受け部とを電気的に接続させる一対の接続金具５と、該接続金具５の間に介装した耐雷サージ手段６と、該耐雷サージ手段６に接続した耐雷サージ機能表示部６ａと、該耐雷サージ機能表示部６ａが目視できるようにタップ本体１に穿設した表示用小孔とを備えた。【選択図】図１
0003173924.tif 000002
【実用新案登録請求の範囲】
【請求項１】
タップ本体と、該タップ本体の一側面に設けた電源側のコンセントに挿通させる一対の栓刃を突出させた回動可能なスイングプラグと、前記タップ本体の他側面の両側に設けた夫々のプラグ用差込口と、該夫々のプラグ用差込口の間に設けたプラグ用差込口を有する回動可能なスイングコンセントと、前記スイングプラグの栓刃と前記夫々のプラグ用差込口の近傍に内装された夫々の刃受け部とを電気的に接続させる一対の接続金具と、該一対の接続金具の間に介装した耐雷サージ手段と、該耐雷サージ手段に接続した耐雷サージ機能表示部と、該耐雷サージ機能表示部が目視できるようにタップ本体に穿設した表示用小孔と、を備えたことを特徴とする耐雷サージ付きスイングタップ。
【考案の詳細な説明】
【技術分野】
【０００１】
本考案は、耐雷サージ付きスイングタップに関するものであり、更に詳細には、タップ本体の電源側の一側面に回動可能なスイングプラグを設け、使用電気機器側に３組のプラグ用差込口を設け、３組のプラグ用差込口の内、真ん中のプラグ用差込口をスイングコンセントにすると共に、１５００Ｗ超の雷サージが流れると自動的にサージを低減させることが可能な耐雷サージ手段を備えた耐雷サージ付きスイングタップに関するものである。
【背景技術】
【０００２】
従来、回動可能なスイングプラグは電源コードの先端に設けた単独のプラグや、タップの電源側の一側面にスイングプラグを備えたタップは既に汎用されているが、タップの中央のプラグ用差込口を備えたコンセントをスイングコンセントとしたタップは無かった。
【０００３】
例えば、先に開示されている、ブレード１０の一端の尾部に枢接部１１が形成されてブレード係止体１２の一端に設けられた枢接部に枢接されて枢接体３４で枢接され、並びにブレードの尾端が回転シート２０の側辺に係止可能とされ、ブレード係止体の別端がプラグケース４０内に固定され、且つプラグケースに回転シート収容溝４１が設けられて回転シートがプラグケース内に嵌め込まれ、全体が位置決めされた後、枢接部を回転中心として回転シートがブレードと共に多角度の回転可能とされて、多方向プラグの機能を達成するもの（特許文献１参照）や、固定部２に、ネジ１３を挿通する第一および第二の貫通孔が連通された略だるま状の貫通穴１２が形成され、当該固定部２が、第一および第二の貫通孔のうちいずれか一方に挿通されたネジ１３を用いて床側に固定されるフロアコンセント装置１において、ネジ１３に保持されて、貫通穴１２のネジ１３の挿通されない部分を塞ぐ閉塞体１４を設けた床に設置されるポップアップ型のフロアコンセント装置（特許文献２参照）がある。
【特許文献１】実用新案登録第３０７６５０９号公報
【特許文献２】特許第４６２２７３８号公報
【考案の開示】
【考案が解決しようとする課題】
【０００４】
然し乍ら、特許文献１のものは、電源コードの先端に設けられたプラグの回転シート２０から突出した一対のブレード１０が枢動するものであるが、プラグ用差込口を有するコンセントが枢動するものではなく、特許文献２のものは、コンセントが枢動するものであるが、フロアコンセント装置におけるポップアップ型のものであり、つまり、床面に埋設されたコンセントが使用時に回動して床面に突出するもので、使用する電気機器の電源を取るもので床面に配設されており移動はできないものである。
【課題を解決するための手段】
【０００５】
本考案は前記課題に鑑み、鋭意研鑽の結果、これらの課題を解決するもので、タップ本体と、タップ本体に設けた電源側のコンセントに挿通させる一対の栓刃を突出させた回動可能なスイングプラグと、タップ本体の両側に設けた夫々のプラグ用差込口と、夫々のプラグ用差込口の間に設けたプラグ用差込口を有する回動可能なスイングコンセントと、スイングプラグの栓刃と夫々のプラグ用差込口の近傍に内装された夫々の刃受け部とを電気的に接続させる一対の接続金具と、一対の接続金具の間に介装した耐雷サージ手段と、耐雷サージ手段に接続した耐雷サージ機能表示部と、耐雷サージ機能表示部が目視できるようにタップ本体に穿設した表示用小孔と、を備えたものである。
【考案の効果】
【０００６】
本考案の耐雷サージ付きスイングタップは、タップ本体に回動可能なスイングプラグと回動可能なスイングコンセントとを設けたことにより、スペースの取れない空間でも自在な配線が可能となり、更に、耐雷サージ手段を設けたことにより、落雷が有った場合には使用機器を過電流から守ることができるもので、画期的で実用性の高い有効な考案である。
【考案を実施するための最良の形態】
【０００７】
以下、本考案の耐雷サージ付きスイングタップの実施の形態を図面によって具体的に説明すると、図１は本考案の耐雷サージ付きスイングタップの実施例の片側ハウジングを取り外した状態の斜視説明図であり、図２は本考案の耐雷サージ付きスイングタップの実施例の片側ハウジングを取り外した状態の平面説明図である。
【０００８】
本考案は、耐雷サージ付きスイングタップに関するものであり、更に詳細には、タップ本体の電源側の一側面に回動可能なスイングプラグを設け、使用電気機器側に３組のプラグ用差込口を設け、３組のプラグ用差込口の内、真ん中のプラグ用差込口をスイングコンセントにすると共に、１５００Ｗ超の雷サージが流れると自動的にサージを低減させることが可能な耐雷サージ手段を備えた耐雷サージ付きスイングタップに関するものであり、タップ本体１と、該タップ本体１の一側面に設けた電源側のコンセントに挿通させる一対の栓刃２ａを突出させた回動可能なスイングプラグ２と、前記タップ本体１の他側面の両側に設けた夫々のプラグ用差込口３ａ．３ａと、該夫々のプラグ用差込口３ａ．３ａの間に設けたプラグ用差込口４ａを有する回動可能なスイングコンセント４と、前記スイングプラグ２の栓刃２ａと前記夫々のプラグ用差込口３ａの近傍に内装された夫々の刃受け部（図示しない）とを電気的に接続させる一対の接続金具５と、該一対の接続金具５の間に介装した耐雷サージ手段６と、該耐雷サージ手段６に接続した耐雷サージ機能表示部６ａと、該耐雷サージ機能表示部６ａが目視できるようにタップ本体１に穿設した表示用小孔と、を備えたことを特徴とするものである。
【実施例】
【０００９】
即ち、本考案の耐雷サージ付きスイングタップは、図１及び図２に図示するもので、タップ本体１は難燃性のＡＢＳ樹脂等で形成され合着される一対のケーシングから成り、一側面に後述する回動可能なスイングプラグ２と、他側面に後述する回動可能なスイングコンセント４と、スイングコンセント４のプラグ用差込口４ａを含む３組のプラグ用差込口３ａ．４ａ．３ａと、耐雷サージ機能表示部６ａが目視でき表示用小孔とを備えたものである。
【００１０】
そして、スイングプラグ２は、電源側のコンセントに挿通させるもので、タップ本体１の一側面に設けられ一対の栓刃２ａを突出させており、表裏方向に夫々９０度回動可能としているもので、９０度の位置には節度感を有するようにダボユニット構造を設けており、また、金属製で導電性の一対の栓刃２ａの基部辺には合成樹脂を捲着させた耐トラッキングカバーを備えており、基部は回動可能なスイングプラグ２の基体の両側に露出させて埋設され、回動しても電気的接続を維持できる公知の回動接続手段を介装してタップ本体１に装着しているものである。
【００１１】
次に、プラグ用差込口３ａ．４ａ．３ａは、使用電気機器等のプラグの栓刃を差し込む一対の矩形状の穴で、タップ本体１の他側面の両側に夫々設けており、また、タップ本体１の両側に設けた夫々のプラグ用差込口３ａ．３ａの間には後述するスイングコンセント４のプラグ用差込口４ａを並設させているもので、つまり、３組のプラグ用差込口３ａ．４ａ．３ａを有するものである。
【００１２】
次いで、スイングコンセント４は、タップ本体１の他側面の両側に設けた夫々のプラグ用差込口３ａ．３ａの間に設けているもので、プラグ用差込口４ａを有したスイングコンセント基体はタップ本体１に対して表裏に夫々９０度回動可能としており、９０度の位置には節度感を有するようにダボユニット構造を設けているもので、更に、プラグ用差込口４ａの内側にはプラグの栓刃を受け入れる栓刃挟持部を設けたスイングコンセント金具（図示しない）を備え、該スイングコンセント金具は後述する一対の接続金具５と回動可能に電気的に接続されたのである。
【００１３】
更に、一対の接続金具５は、タップ本体１に内装されているものであり、スイングプラグ２の栓刃２ａと夫々のプラグ用差込口３ａ．３ａの近傍に内装された夫々の刃受け部とを電気的に接続させるものであり、つまり、スイングプラグ２の栓刃２ａとは回動可能に電気的に接続される回動接続手段を介装しており、スイングコンセント４に内装されスイングコンセント金具の基部とも回動可能に電気的に接続される回動接続手段を介装すると共に、タップ本体１の他側面の両側に設けた夫々のプラグ用差込口３ａ．３ａの近傍に内装された夫々の刃受け部とも電気的に接続させているものである。
【００１４】
更には、耐雷サージ手段６は、一対の接続金具５の間に介装しているもので、落雷時の１５００Ｗ超の過電流が流れると過電流を押さえるものであり、落雷からも使用電気機器に流れる過電流を防ぐものである。
【００１５】
そして、耐雷サージ機能表示部６ａは、耐雷サージ手段６に電気的に接続しており、耐雷サージ手段６が機能している場合に点灯するものである。
【００１６】
加えて、表示用小孔は、耐雷サージ機能表示部６ａがタップ本体１の外側から目視できるように耐雷サージ機能表示部６ａの直上に小孔を穿設しているものである。
【産業上の利用可能性】
【００１７】
本考案は、タップ本体に回動可能なスイングプラグと回動可能なスイングコンセントとを設けたことにより、スペースの取れない空間でも自在な配線が可能となり、更に、耐雷サージ手段を設けたことにより、落雷が有った場合には使用機器を過電流から守ることができる耐雷サージ付きスイングタップを提供するものである。
【図面の簡単な説明】
【００１８】
【図１】図１は本考案の耐雷サージ付きスイングタップの実施例の片側ハウジングを取り外した状態の斜視説明図である。
【図２】図２は本考案の耐雷サージ付きスイングタップの実施例の片側ハウジングを取り外した状態の平面説明図である。
【符号の説明】
【００１９】
１      タップ本体
２      スイングプラグ
２ａ    栓刃
３      コンセント
３ａ    プラグ用差込口
４      スイングコンセント  
５      接続金具
６      耐雷サージ手段
６ａ    耐雷サージ機能表示部
【図１】
0003173924.tif 000003
【図２】
0003173924.tif 000004